(57)【特許請求の範囲】
【請求項１】
室外と室内とを仕切る取付対象のドアに形成された開口部に設けられる折り畳み式宅配ボックスであって、
前記開口部に取り付けられ、第１左枠部、第１右枠部、第１上枠部、第１下枠部を備えた略四角枠形状の第１枠体と、
前記ドアよりも前記室内側に設けられ、第２左枠部、第２右枠部、第２上枠部、第２下枠部を備えた略四角枠形状の第２枠体と、
前記第１枠体の径方向内側の第１開口を開閉可能に設けられた第１開閉扉と、
前記第２枠体の径方向内側の第２開口を開閉可能に設けられた第２開閉扉と、
前記室外側の前端部が前記第１上枠部に対して略水平軸心周りに回動可能に接続されるとともに、前記室内側の後端部が自由端とされる天板部と、
前記室外側の前端部が前記第１下枠部に対して略水平軸心周りに回動可能に接続されるとともに、前記室内側の後端部が自由端とされる底板部と、
前記第２枠体が前記第１枠体に対し進退可能となるように、前記第１枠体の前記第１左枠部と前記第２枠体の前記第２左枠部とを接続する左連接体と、
前記第２枠体が前記第１枠体に対し進退可能となるように、前記第１枠体の前記第１右枠部と前記第２枠体の前記第２右枠部とを接続する右連接体と、
を有し、
前記左連接体は、
前記室外側の端部が前記第１左枠部に対して略鉛直軸心周りに回動可能に接続される第１左側壁と、
前記室内側の端部が前記第２左枠部に対して略鉛直軸心周りに回動可能に接続される第２左側壁と、
前記第１左側壁の前記室内側の端部と前記第２左側壁の前記ドア側の端部とを回動可能に連結する左連結部と、
を備え、
前記右連接体は、
前記室外側の端部が前記第１右枠部に対して略鉛直軸心周りに回動可能に接続される第１右側壁と、
前記室内側の端部が前記第２右枠部に対して略鉛直軸心周りに回動可能に接続される第２右側壁と、
前記第１右側壁の前記室内側の端部と前記第２右側壁の前記ドア側の端部とを回動可能に連結する右連結部と、
を備え、
前記略水平軸心周りの回動による前記天板部の引き下げと、前記略水平軸心周りの回動による前記底板部の引き上げと、前記左連結部での前記第１左側壁及び前記第２左側壁の回動による前記左連接体の折り畳みと、前記右連結部での前記第１右側壁及び前記第２右側壁の回動による前記右連接体の折り畳みと、により、前記第２枠体を前記第１枠体に近接させるとともに、その近接する当該第１枠体と当該第２枠体との間に当該折り畳まれた左連接体及び右連接体を収納し、当該収納された左連接体及び右連接体よりも前記室外側に、前記引き下げた天板部及び前記引き上げた底板部を位置させる、コンパクト状態と、
前記コンパクト状態から、前記左連結部での前記第１左側壁及び前記第２左側壁の回動による前記左連接体の押し伸ばしと前記右連結部での前記第１右側壁及び前記第２右側壁の回動による前記右連接体の押し伸ばしとにより、前記第２枠体を前記第１枠体から離間させるとともに、それら離間した第１枠体と第２枠体との間の空間内における前記略水平軸心周りの回動による前記天板部の押し上げと前記略水平軸心周りの回動による前記底板部の押し下げとにより、前記空間の上部に前記天板部を略水平に位置させるとともに、前記空間の下部に前記底板部を略水平に位置させる、展開状態と、
を切替可能に構成した
ことを特徴とする折り畳み式宅配ボックス。
【請求項２】
請求項１記載の折り畳み式宅配ボックスにおいて、
前記第１枠体は、
前記コンパクト状態において前記引き下げた天板部を収納する天板収納部と、
前記コンパクト状態において前記引き上げた底板部を収納する底板収納部と、
を備えることを特徴とする折り畳み式宅配ボックス。
【請求項３】
請求項２記載の折り畳み式宅配ボックスにおいて、
前記天板部の回動に係わる前記略水平軸心は、前記底板部の回動に係わる略水平軸心よりも、前記室外側に位置しており、
前記第１枠体において、前記天板収納部は前記底板収納部よりも前記室外側に設けられている
ことを特徴とする折り畳み式宅配ボックス。
【請求項４】
請求項２記載の折り畳み式宅配ボックスにおいて、
前記底板部の回動に係わる略水平軸心は、前記天板部の回動に係わる前記略水平軸心よりも、前記室外側に位置しており、
前記第１枠体において、前記底板収納部は前記天板収納部よりも前記室外側に設けられている
ことを特徴とする折り畳み式宅配ボックス。
【請求項５】
請求項１乃至請求項４のいずれか１項記載の折り畳み式宅配ボックスにおいて、
前記第１左側壁及び前記第２左側壁のうち少なくとも一方と、前記第１右側壁及び前記第２右側壁のうち少なくとも一方とが、前記展開状態において押し上げられた前記天板部を係止する天板係止部を備える
ことを特徴とする折り畳み式宅配ボックス。
【請求項６】
請求項１乃至請求項５のいずれか１項記載の折り畳み式宅配ボックスにおいて、
前記第２枠体に、前記展開状態において押し下げられた前記底板部を載置する底板載置部を設けた
ことを特徴とする折り畳み式宅配ボックス。
【発明の詳細な説明】
【技術分野】
【０００１】
本発明は、留守中に配達される配達物を収納することができ、かつ、未収納時にはスペースを殆どとらないように折り畳みできる折り畳み式宅配ボックスに関する。
【背景技術】
【０００２】
従来、留守中に配達される配達物を収納することができ、かつ、未収納時にはスペースを殆どとらないように折り畳みできるドア装着型荷物受箱（折り畳み式宅配ボックス）が知られている（例えば、特許文献１参照）。この従来技術の折り畳み式宅配ボックスでは、ドアの外側に取り付けられる荷物受箱が複数の蝶番を備えており、後板を引き出して収納空間を広げて使用することができる。
【先行技術文献】
【特許文献】
【０００３】
【特許文献１】特開平７−１１８５０号公報（図３，４、段落００１６等）
【発明の概要】
【発明が解決しようとする課題】
【０００４】
上記従来技術の折り畳み式宅配ボックスは、ドアの外側に取り付けられており室外側に収納空間を形成するものであるため、配達人が留守宅に到着したときに、室内側に配達物を届けることができない。
【０００５】
本発明の目的は、配達先が留守であっても、ドアを開閉することなく、配達人が室外側からの手動操作で室内側に空間を形成し、確実に配達物を室内側に配達できる折り畳み式宅配ボックスを提供することにある。
【課題を解決するための手段】
【０００６】
上記目的を達成するために、本願発明は、室外と室内とを仕切る取付対象のドアに形成された開口部に設けられる折り畳み式宅配ボックスであって、前記開口部に取り付けられ、第１左枠部、第１右枠部、第１上枠部、第１下枠部を備えた略四角枠形状の第１枠体と、前記ドアよりも前記室内側に設けられ、第２左枠部、第２右枠部、第２上枠部、第２下枠部を備えた略四角枠形状の第２枠体と、前記第１枠体の径方向内側の第１開口を開閉可能に設けられた第１開閉扉と、前記第２枠体の径方向内側の第２開口を開閉可能に設けられた第２開閉扉と、前記室外側の前端部が前記第１上枠部に対して略水平軸心周りに回動可能に接続されるとともに、前記室内側の後端部が自由端とされる天板部と、前記室外側の前端部が前記第１下枠部に対して略水平軸心周りに回動可能に接続されるとともに、前記室内側の後端部が自由端とされる底板部と、前記第２枠体が前記第１枠体に対し進退可能となるように、前記第１枠体の前記第１左枠部と前記第２枠体の前記第２左枠部とを接続する左連接体と、前記第２枠体が前記第１枠体に対し進退可能となるように、前記第１枠体の前記第１右枠部と前記第２枠体の前記第２右枠部とを接続する右連接体と、を有し、前記左連接体は、前記室外側の端部が前記第１左枠部に対して略鉛直軸心周りに回動可能に接続される第１左側壁と、前記室内側の端部が前記第２左枠部に対して略鉛直軸心周りに回動可能に接続される第２左側壁と、前記第１左側壁の前記室内側の端部と前記第２左側壁の前記ドア側の端部とを回動可能に連結する左連結部と、を備え、前記右連接体は、前記室外側の端部が前記第１右枠部に対して略鉛直軸心周りに回動可能に接続される第１右側壁と、前記室内側の端部が前記第２右枠部に対して略鉛直軸心周りに回動可能に接続される第２右側壁と、前記第１右側壁の前記室内側の端部と前記第２右側壁の前記ドア側の端部とを回動可能に連結する右連結部と、を備え、前記略水平軸心周りの回動による前記天板部の引き下げと、前記略水平軸心周りの回動による前記底板部の引き上げと、前記左連結部での前記第１左側壁及び前記第２左側壁の回動による前記左連接体の折り畳みと、前記右連結部での前記第１右側壁及び前記第２右側壁の回動による前記右連接体の折り畳みと、により、前記第２枠体を前記第１枠体に近接させるとともに、その近接する当該第１枠体と当該第２枠体との間に当該折り畳まれた左連接体及び右連接体を収納し、当該収納された左連接体及び右連接体よりも前記室外側に、前記引き下げた天板部及び前記引き上げた底板部を位置させる、コンパクト状態と、前記コンパクト状態から、前記左連結部での前記第１左側壁及び前記第２左側壁の回動による前記左連接体の押し伸ばしと前記右連結部での前記第１右側壁及び前記第２右側壁の回動による前記右連接体の押し伸ばしとにより、前記第２枠体を前記第１枠体から離間させるとともに、それら離間した第１枠体と第２枠体との間の空間内における前記略水平軸心周りの回動による前記天板部の押し上げと前記略水平軸心周りの回動による前記底板部の押し下げとにより、前記空間の上部に前記天板部を略水平に位置させるとともに、前記空間の下部に前記底板部を略水平に位置させる、展開状態と、を切替可能に構成したことを特徴とする。
【０００７】
本願発明の折り畳み式宅配ボックスでは、配達先が留守であっても、配達人が、第１開閉扉を開けて第１開口から手を差し入れ、左連設体及び右連設体を押し伸ばしと、第２枠体を室内側へ移動させることができる。そして、その移動させた第２枠体の手前側に形成された空間において天板部を押し上げるとともに底板部を押し下げることで、左右両側を左連設体及び右連設体で囲われ、かつ上下両側を天板部と底板部で囲われ、かつ奥側を第２枠体の第２開閉扉で塞がれた、略箱型の閉じた空間を形作ることができる。この空間内に配達物を配置し、最初に開けた第１開閉扉を閉じることで、ドアを開閉することなく、無人状態の配達先の室内側に確実に配達物を配達することができる。
【発明の効果】
【０００８】
本発明によれば、配達先が留守であっても、ドアを開閉することなく、配達人が室外側からの手動操作で室内側に空間を形成し、確実に配達物を室内側に配達できる。
【図面の簡単な説明】
【０００９】
【図１】本発明の一実施形態による折り畳み式宅配ボックスをドアの外側（室外側）から見た状態を表す前面図である。
【図２】本発明の一実施形態による折り畳み式宅配ボックスをドアの内側（室内側）から見た状態を表す後面図である。
【図３】本発明の一実施形態による折り畳み式宅配ボックス（コンパクト状態）を表す右側面図である。
【図４】本発明の一実施形態による折り畳み式宅配ボックス（展開状態）を表す右側面図である。
【図５】本発明の一実施形態による折り畳み式宅配ボックス（コンパクト状態）を表す平面図である。
【図６】本発明の一実施形態による折り畳み式宅配ボックス（展開状態）を表す平面図である。
【図７】本発明の一実施形態による折り畳み式宅配ボックス（コンパクト状態）を表す右側面断面図である。
【図８】本発明の一実施形態による折り畳み式宅配ボックス（コンパクト状態と展開状態との間の状態）を表す右側面断面図である。
【図９】本発明の一実施形態による折り畳み式宅配ボックス（展開状態）を表す右側面断面図である。
【図１０】本発明の一実施形態による折り畳み式宅配ボックス（コンパクト状態）を表す平面断面図である。
【図１１】本発明の一実施形態による折り畳み式宅配ボックス（コンパクト状態と展開状態との間の状態）を表す平面断面図である。
【図１２】本発明の一実施形態による折り畳み式宅配ボックス（展開状態）を表す平面断面図である。
【図１３】変形例による折り畳み式宅配ボックス（コンパクト状態）を表す右側面断面図である。
【図１４】変形例による折り畳み式宅配ボックス（展開状態）を表す右側面断面図である。
【発明を実施するための形態】
【００１０】
以下、本発明の一実施形態を、図面を参照して説明する。
【００１１】
＜構成＞
本実施形態による折り畳み式宅配ボックス１を説明する図を図１〜図１２に示す。なお、以下の説明において、上下方向、前後方向及び左右方向は、折り畳み式宅配ボックス１が設けられる取付対象のドア２の室外側の面を前面とした場合における上下方向（上側、底・下側）、前後方向（前面側、後面側）及び左右方向に相当しており、図１〜図１２の各図中に適宜示される矢印の方向に対応している。
【００１２】
本実施形態による折り畳み式宅配ボックス１は、室外と室内とを仕切るドア２に形成された開口部２ａに設けられており、配達先が留守であっても、ドア２を開閉することなく、配達人が室外側からの手動操作で室内側に空間Ｓを形成し、確実に配達物を室内側に配達できるようにするための機器である。開口部２ａは、本実施形態において、ドアノブ２ｂの下方に形成された略四角形状の開口である。ドア２の左端部には、図示しない外壁に対して略鉛直軸心Ｙ９周りに回動可能にするためのヒンジ２ｃが設けられている。
【００１３】
折り畳み式宅配ボックス１は、前枠体１０（第１枠体に相当）と、後枠体２０（第２枠体に相当）と、荷物差し入れ扉３０（第１開閉扉に相当）と、荷物取り出し扉４０（第２開閉扉に相当）と、天板部５０と、底板部６０と、左連接体７０と、右連接体８０と、を有している。
【００１４】
前枠体１０は、開口部２ａに取り付けられ、第１左枠部１１、第１右枠部１２、第１上枠部１３及び第１下枠部１４を有する略四角枠形状の部材である。前枠体１０の径方向内側には、第１左枠部１１、第１右枠部１２、第１上枠部１３及び第１下枠部１４に囲まれる略四角形状の開口１０ａが形成されている。
【００１５】
後枠体２０は、ドア２よりも室内側に設けられ、第２左枠部２１、第２右枠部２２、第２上枠部２３及び第２下枠部２４を有する略四角枠形状の部材である。後枠体２０の径方向内側には、第２左枠部２１、第２右枠部２２、第２上枠部２３及び第２下枠部２４に囲まれる略四角形状の開口２０ａが形成されている。
【００１６】
荷物差し入れ扉３０は、前枠体１０の径方向内側の第１開口１０ａを開閉可能に設けられた部材である。荷物差し入れ扉３０の左端部には、前枠体１０の第１左枠部１１に対して略鉛直軸心Ｙ７周りに回動可能にするためのヒンジ３０ｂが設けられている。荷物差し入れ扉３０は、ヒンジ３０ｂによって第１開口１０ａを開閉可能になっている（図５及び図６の矢印Ａ参照）。荷物差し入れ扉３０の右端部には、荷物差し入れ扉３０を開閉する際に掴むことができる持ち手部３０ａが設けられている。荷物差し入れ扉３０は、図示しない公知の電子キーを有しており、配達物の注文時に予め取り決められた暗証番号等を住人が外出時に電子キーに設定してロックされるようになっている。配達人は、設定された暗証番号等を携えて配達に来ることで、住人が不在であっても荷物差し入れ扉３０を開けることができ、室外側からの手動操作で室内側に空間Ｓを形成して配達物を入れた後、荷物差し入れ扉３０を閉めることで、荷物差し入れ扉３０が再びロックされるようになっている。
【００１７】
荷物取り出し扉４０は、後枠体２０の径方向内側の第２開口２０ａを開閉可能に設けられた部材である。荷物取り出し扉４０の左端部には、後枠体２０の第２左枠部２１に対して略鉛直軸心Ｙ８周りに回動可能にするためのヒンジ４０ｂが設けられている。荷物取り出し扉４０は、ヒンジ４０ｂによって第２開口２０ａを開閉可能になっている（図５及び図６の矢印Ｃ参照）。荷物取り出し扉４０の右端部には、荷物取り出し扉４０を開閉する際に掴むことができる持ち手部４０ａが設けられている。荷物取り出し扉４０には、図示しない適宜のフックが設けられており、不用意に開かないようになっている。住人は、室内側に空間Ｓが形成されているのを見て配達物の到着を察知でき、ドア２を閉めて室内へ戻った後、フックを外して荷物取り出し扉４０を開くことで、配達された配達物を取得できるようになっている。
【００１８】
天板部５０は、室外側の前端部が第１上枠部１３に対して略水平軸心Ｘ１周りに回動可能に接続されるとともに、室内側の後端部が自由端とされる部材である。天板部５０の室外側の前端部には、第１上枠部１３に対して略水平軸心Ｘ１周りに回動可能にするためのヒンジ５１が設けられている。天板部５０は、ヒンジ５１によって、その室内側の後端部が後枠部２０の第２上枠部２３に近接する水平横向き（図４、図６、図９及び図１２参照）と、当該室内側の後端部が前枠部１０の第１下枠部１４に近接する鉛直下向き（図７、図８、図１０及び図１１参照）と、の間で回動可能になっている。
【００１９】
底板部６０は、室外側の前端部が第１下枠部１４に対して略水平軸心Ｘ２周りに回動可能に接続されるとともに、室内側の後端部が自由端とされる部材である。底板部６０の室外側の前端部には、第１下枠部１４に対して略水平軸心Ｘ２周りに回動可能にするためのヒンジ６１が設けられている。底板部６０は、ヒンジ６１によって、その室内側の後端部が後枠部２０の第２下枠部２４に近接する水平横向き（図４、図６、図９及び図１２参照）と、当該室内側の後端部が前枠部１０の第１上枠部１３に近接する鉛直上向き（図７、図８、図１０及び図１１参照）と、の間で回動可能になっている。
【００２０】
前枠体１０には、室内側の後端部が鉛直下向きになっている天板部５０を収納する天板収納部１５と、室内側の後端部が鉛直上向きになっている底板部６０を収納する底板収納部１６と、が設けられている。天板収納部１５は、鉛直下向きの天板部５０が収納される略四角形状の開口であり、開口部１０ａの一部をなしている。底板収納部１６は、鉛直上向きの底板部６０が収納される略四角形状の開口であり、開口部１０ａの一部をなしている。天板部５０の回動に係わる略水平軸心Ｘ１は、底板部６０の回動に係わる略水平軸心Ｘ２よりも、室外側に位置しており、前枠体１０において、天板収納部１５は底板収納部１６よりも室外側に設けられている（図７〜図１２参照）。底板収納部１６の開口サイズと天板収納部１５の開口サイズはほぼ同じである（図７〜図９参照）。
【００２１】
後枠体２０には、室内側の後端部が水平横向きになっている底板部６０を載置する底板載置部２５が設けられている。底板載置部２５は、第２下枠部２４の一部をなしており、底板部６０の室内側の後端部の下面が接する部分である。底板部６０の室内側の後端部が底板載置部２５に載置される際は、底板部６０の室内側の後端部の後端面が第２下枠部２４に当接するようになっている（図９及び図１２参照）。
【００２２】
左連接体７０は、後枠体２０が前枠体１０に対し進退可能となるように、前枠体１０の第１左枠部１１と後枠体２０の第２左枠部２１とを接続する部材である。左連接体７０は、第１左側壁７１と、第２左側壁７２と、左連結部７３と、を有している。第１左側壁７１は、室外側の端部が第１左枠部１１に対して略鉛直軸心Ｙ１周りに回動可能に接続されている。第１左側壁７１の室外側の端部には、第１左枠部１１に対して略鉛直軸心Ｙ１周りに回動可能にするためのヒンジ７５が設けられている。第１左側壁７１は、ヒンジ７５によって、その室内側の端部が水平横向き（図９及び図１２参照）と、当該室内側の端部が鉛直下向き（図７及び図１０参照）と、の間で回動可能になっている。第２左側壁７２は、室内側の端部が第２左枠部２１に対して略鉛直軸心Ｙ２周りに回動可能に接続されている。第２左側壁７２の室内側の端部には、第２左枠部２１に対して略鉛直軸心Ｙ２周りに回動可能にするためのヒンジ７６が設けられている。第２左側壁７２は、ヒンジ７６によって、そのドア２側の端部が水平横向き（図９及び図１２参照）と、当該ドア２側の端部が鉛直下向き（図７及び図１０参照）と、の間で回動可能になっている。左連結部７３は、第１左側壁７１の室内側の端部と第２左側壁７２のドア２側の端部とを回動可能に連結している。左連結部７３は、第１左側壁７１の室内側の端部及び第２左側壁７２のドア２側の端部を６の字形状に巻き、両壁７１，７２の６の字形状の端部に丸棒を通すことによって構成されたヒンジ構造である。第１左側壁７１と第２左側壁７２とは、左連結部７３によって、略鉛直軸心Ｙ３周りに回動可能になっており、ヒンジ７５，７６による略鉛直軸心Ｙ１，Ｙ２周りの回動も併用して、左連接体７０の折り畳み（図３、図５、図７及び図１０参照）と、左連接体７０の展開（図４、図６〜図９、図１１及び図１２参照）と、の間で回動可能になっている。
【００２３】
右連接体８０は、後枠体２０が前枠体１０に対し進退可能となるように、前枠体１０の第１右枠部１２と後枠体２０の第２左枠部２２とを接続する部材である。右連接体８０は、第１右側壁８１と、第２右側壁８２と、右連結部８３と、を有している。第１右側壁８１は、室外側の端部が第１右枠部１２に対して略鉛直軸心Ｙ４周りに回動可能に接続されている。第１右側壁８１の室外側の端部には、第１右枠部１２に対して略鉛直軸心Ｙ４周りに回動可能にするためのヒンジ８５が設けられている。第１右側壁８１は、ヒンジ８５によって、その室内側の端部が水平横向き（図９及び図１２参照）と、当該室内側の端部が鉛直下向き（図７及び図１０参照）と、の間で回動可能になっている。第２右側壁８２は、室内側の端部が第２右枠部２２に対して略鉛直軸心Ｙ５周りに回動可能に接続されている。第２右側壁８２の室内側の端部には、第２右枠部２２に対して略鉛直軸心Ｙ６周りに回動可能にするためのヒンジ８６が設けられている。第２右側壁８２は、ヒンジ８６によって、そのドア２側の端部が水平横向き（図９及び図１２参照）と、当該ドア２側の端部が鉛直下向き（図７及び図１０参照）と、の間で回動可能になっている。右連結部８３は、第１右側壁８１の室内側の端部と第２右側壁８２のドア２側の端部とを回動可能に連結している。右連結部８３は、第１右側壁８１の室内側の端部及び第２右側壁８２のドア２側の端部を６の字形状に巻き、両壁８１，８２の６の字形状の端部に丸棒を通すことによって構成されたヒンジ構造である。第１右側壁８１と第２右側壁８２とは、右連結部８３によって、略鉛直軸心Ｙ６周りに回動可能になっており、ヒンジ８５，８６による略鉛直軸心Ｙ４，Ｙ５周りの回動も併用して、右連接体８０の折り畳み（図３、図５、図７及び図１０参照）と、右連接体８０の展開（図４、図６〜図９、図１１及び図１２参照）と、の間で回動可能になっている。
【００２４】
第１左側壁７１、第２左側壁７２、第１右側壁８１及び第２右側壁８２には、左右連接体７０，８０が展開された状態において、水平横向きの状態の天板部５０を係止する天板係止部７４，８４が形成されている。天板係止部７４，８４は、第１左側壁７１、第２左側壁７２、第１右側壁８１及び第２右側壁８２の上端部に形成された凹部である（図８、図９、図１１及び図１２参照）。天板部５０には、天板係止部７４，８４の形状に合う爪部５２が形成されている。爪部５２は、天板部５０の左端部及び右端部に形成された凸部であり、天板係止部７４，８４に嵌ることによって係止される。
【００２５】
以上の構成により、本実施形態による折り畳み式宅配ボックス１では、コンパクト状態と、展開状態と、に切り替え可能になっている。コンパクト状態は、略水平軸心Ｘ１周りの回動による天板部５０の引き下げ（図９の矢印Ｂ２参照）と、略水平軸心Ｘ２周りの回動による底板部６０の引き上げ（図９の矢印Ｂ１参照）と、左連結部７３での第１左側壁７１及び第２左側壁７２の回動による左連接体７０の折り畳み（図３、図５、図７及び図１０の矢印Ｂ参照）と、右連結部８３での第１右側壁８１及び第２右側壁８２の回動による右連接体８０の折り畳み（図３、図５、図７及び図１０の矢印Ｂ参照）と、により、後枠体２０を前枠体１０に近接させるとともに、その近接する当該前枠体１０と当該後枠体２０との間に当該折り畳まれた左連接体７０及び右連接体８０を収納し、当該収納された左連接体７０及び右連接体８０よりも室外側に、引き下げられた天板部５０及び引き上げられた底板部６０を位置させた状態である。このとき、引き下げた天板部５０及び引き上げた底板部６０はそれぞれ、前枠部１０の天板収納部１５及び底板収納部１６に収納される。展開状態は、コンパクト状態から、左連結部７３での第１左側壁７１及び前記第２左側壁７２の回動による左連接体７０の押し伸ばし（図４、図６、図８、図９、図１１及び図１２の矢印Ｂ参照）と、右連結部８３での第１右側壁８２及び第２右側壁８２の回動による右連接体７０の押し伸ばし（図４、図６、図８、図９、図１１及び図１２の矢印Ｂ参照）と、により、後枠体２０を前枠体１０から離間させるとともに、それら離間した前枠体１０と後枠体２０との間の空間Ｓ内における略水平軸心Ｘ１周りの回動による天板部５０の押し上げ（図９の矢印Ｂ２参照）と、略水平軸心Ｘ２周りの回動による底板部６０の押し下げ（図９の矢印Ｂ１参照）と、により、空間Ｓの上部に天板部５０を略水平に位置させるとともに、空間Ｓの下部に底板部６０を略水平に位置させる状態である。このとき、押し上げられた天板部５０の爪部５２は、第１左側壁７１、第２左側壁７２、第１右側壁８１及び第２右側壁８２に形成された天板係止部７４，８４に係止され（図９及び図１２参照）、押し下げられた底板部６０の室内側の後端部は、後枠体２０の底板載置部２５に載置されるとともに、第２下枠部２４に当接している（図９及び図１２参照）。
【００２６】
＜操作＞
本実施形態による折り畳み式宅配ボックス１では、以下に説明する通り、配達人による室外側からの手動操作で配達物を室内側に配達することができ、住人による室内側からの手動操作で配達された配達物を取得することができるようになっている。
【００２７】
まず、住人が、室内側からの手動操作によって、折り畳み式宅配ボックス１をコンパクト状態にセットする（図１〜図３、図５、図７及び図１０参照）。具体的には、住人が、天板部５０を引き下げて前枠部１０の天板収納部１５に収納し（図９の矢印Ｂ２参照）、底板部６０を引き上げて前枠部１０の底板収納部１６に収納し（図９の矢印Ｂ１参照）、左・右連接体７０，８０の折り畳みによって後枠体２０を前枠体１０に近接させるとともに（図３、図５、図７及び図１０の矢印Ｂ参照）、その近接する当該前枠体１０と当該後枠体２０との間に当該折り畳まれた左連接体７０及び右連接体８０を収納する（図３、図５、図７及び図１０参照）。なお、折り畳み式宅配ボックス１には、図示しない適宜のストッパーが設けられており、このストッパーによって左・右連接体７０，８０の折り畳みが解除されずにコンパクト状態が維持されるように図られている。
【００２８】
次に、外出時に、住人が、配達物の注文時に予め取り決められた暗証番号等を電子キーに設定して荷物差し入れ扉３０をロックし、荷物取り出し扉４０を閉じてフックを取り付けておく。
【００２９】
次に、住人の不在中に訪れた配達人は、設定された暗証番号等を入力して荷物差し入れ扉３０を開ける（図５の矢印Ａ参照）。
【００３０】
次に、配達人は、室外側からの手動操作によって、折り畳み式宅配ボックス１を展開状態にセットして、配達物を室内側に形成された空間Ｓに入れる（図４、図６、図８、図９、図１１及び図１２参照）。具体的には、配達人が、第１開口１０ａから手を入れて、底板部６０を押し下げつつ（図９の矢印Ｂ１参照）、左・右連接体７０，８０の押し伸ばしによって後枠体２０を前枠体１０から離間させ（図４、図６、図８、図９、図１１及び図１２の矢印Ｂ参照）、左・右連接体７０，８０が伸び切ったところで底板部６０の室内側の後端部を後枠体２０の底板載置部２５に載置して突っ張らせ（図９及び図１２参照）、さらに天板部５０押し上げ（図９及び図１２の矢印Ｂ２参照）、天板部５０の爪部５２を左・右側壁７１，７２，８１，８２の天板係止部７４，８４に係止させて室内側に空間Ｓを形成する（図６、図９及び図１２参照）。
【００３１】
次に、配達人は、空間Ｓ内に配達物を入れ、荷物差し入れ扉３０を閉めることで、荷物差し入れ扉３０が再びロックされる（図６の矢印Ａ参照）。
【００３２】
次に、外出から帰った住人が、室内側に空間Ｓが形成されているのを見て、配達物の到着を察知すると、ドア２を閉めて室内へ戻り、室内側からの手動操作によって、フックを外して荷物取り出し扉４０を開くことで、配達された配達物を取得する（図６の矢印Ｃ参照）。
【００３３】
次に、配達物を取得した後、住人は、室内側からの手動操作によって、折り畳み式宅配ボックス１を再びコンパクト状態にセットしておく（図１〜図３、図５、図７及び図１０参照）。
【００３４】
＜実施形態の効果＞
以上説明したように、本実施形態の折り畳み式宅配ボックス１では、略水平軸心Ｘ１周りの回動による天板部５０の引き下げと、略水平軸心Ｘ２周りの回動による底板部６０の引き上げと、左連接体７０の折り畳みと、右連接体８０の折り畳みと、により、室内側の第２枠体２０を室外側の第１枠体１０に近接させるコンパクト状態と、前記コンパクト状態から左連接体７０の押し伸ばしと右連接体８０の押し伸ばしと、略水平軸心Ｘ１周りの回動による天板部５０の押し上げと、略水平軸心Ｘ２周りの回動による底板部６０の押し下げとにより、室内側の第２枠体２０を室外側の第１枠体１０から離間させる展開状態と、が切替可能に構成されている。
【００３５】
このような構成を有する折り畳み式宅配ボックス１では、配達先が留守であっても、配達人が、荷物差し入れ扉３０を開けて第１開口１０ａから手を差し入れ（図５及び図６の矢印Ａ参照）、左連設体７０及び右連設体８０を押し伸ばすと、後枠体２０を室内側へ移動させることができる（図４〜図６，図８，図９，図１１及び図１２の矢印Ｂ参照）。そして、その移動させた後枠体２０の手前側に形成された空間において天板部５０を押し上げるとともに底板部６０を押し下げることで（図９の矢印Ｂ１，Ｂ２参照）、左右両側を左連設体７０及び右連設体８０で囲われ、かつ上下両側を天板部５０と底板部６０で囲われ、かつ奥側を後枠体２０の荷物取り出し扉４０で塞がれた、略箱型の閉じた空間Ｓを形作ることができる（図４，図６，図９及び図１２参照）。この空間Ｓ内に配達物を配置し、最初に開けた荷物差し入れ扉３０を閉じることで（図５及び図６の矢印Ａ参照）、ドア２を開閉することなく、無人状態の配達先の室内側に確実に配達物を配達することができる。
【００３６】
また、本実施形態では特に、前枠体１０が、コンパクト状態において引き下げた天板部５０を収納する天板収納部１５と、コンパクト状態において引き上げた底板部６０を収納する底板収納部１６と、を有している（図７〜図１２参照）。このため、展開状態において略箱型の空間Ｓの下部を覆うこととなる底板部６０と略箱型の空間Ｓの上部を覆うこととなる天板部５０とを、コンパクト状態において前枠体１０内に収納し、邪魔にならないようにすることができる。
【００３７】
また、本実施形態では特に、天板部５０の回動に係わる略水平軸心Ｘ１が、底板部６０の回動に係わる略水平軸心Ｘ２よりも、室外側に位置しており、前枠体１０において、天板収納部１５が底板収納部１６よりも室外側に設けられている（図７〜図１２参照）。すなわち、配達人が手動操作にてコンパクト状態から展開状態にする際、天板部５０のほうが底板部６０よりも手前側に位置している。このため、天板部５０を室内側へと手で押すことで先に底板部６０を倒して略水平にした後、そのままの円滑な動きで天板部５０を上へ持ち上げて略水平とすることができる（図１２の矢印Ｂ１，Ｂ２参照）。またこのとき、底板部６０のほうが天板部５０よりも手前側に位置している場合のように、底板部６０を室内側へ手で押すときに底板部６０と天板部５０との間に手が挟まるような心配がない。
【００３８】
また、本実施形態では特に、第１左側壁７１、第２左側壁７２、第１右側壁８１及び第２右側壁８２が展開状態において押し上げられた天板部５０を係止する天板係止部７４，８４を有している。このため、展開状態にする際に押し上げた天板部５０が落下しないように係止できる。
【００３９】
また、本実施形態では特に、後枠体２０に、展開状態において押し下げられた底板部６０を載置する底板載置部２５が設けられている。このため、展開状態にする際に、押し下げた底板部６０を安定的に保持できる。
【００４０】
＜変形例＞
上記実施形態の折り畳み式宅配ボックス１においては、天板部５０の回動に係わる略水平軸心Ｘ１が、底板部６０の回動に係わる略水平軸心Ｘ２よりも、室外側に位置しており、前枠体１０において、天板収納部１５が底板収納部１６よりも室外側に設けられている（図７及び図９参照）。すなわち、配達人が手動操作にてコンパクト状態から展開状態にする際、天板部５０のほうが底板部６０よりも手前側に位置している。
【００４１】
しかし、上記実施形態とは逆に、底板部６０の回動に係わる略水平軸心Ｘ２が、天板部５０の回動に係わる略水平軸心Ｘ１よりも、室外側に位置しており、前枠体１０において、底板収納部１６が天板収納部１５よりも室外側に設けられていてもよい（図１３及び図１４参照）。すなわち、配達人が手動操作にてコンパクト状態から展開状態にする際、底板部６０のほうが天板部５０よりも手前側に位置していてもよい。
【００４２】
この場合には、配達人が手動操作にてコンパクト状態から展開状態にする際、配達人は、手に持った配達物の下部で底板部６０を室内側へと押すことで底板部６０と配達物とによって天板部５０を持ち上げて略水平にした後（図１４の矢印Ｂ２参照）、そのまま配達物を押し出す動きで底板部６０を下へ押し下げて略水平とすることができる（図１４の矢印Ｂ１参照）。
【００４３】
＜他の変形例＞
上記実施形態及び変形例では、第１左側壁７１、第２左側壁７２、第１右側壁８１及び第２右側壁８２のすべてが天板係止部７４，８４を有しているが、これに限定されるものではなく、第１左側壁７１及び第２左側壁７２のうち少なくとも一方と第１右側壁８１及び第２右側壁８２の少なくとも一方とが天板係止部７４，８４を有していてもよい。また、上記実施形態及び変形例では、荷物差し入れ扉３０や荷物取り出し扉４０の開き方向が左開きであったが、これに限定されるものではなく、右開きや両開きなど別の方向であってもよい。
【００４４】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００４５】
また、以上既に述べた以外にも、上記実施形態や各変形例による手法を適宜組み合わせて利用しても良い。
【００４６】
その他、一々例示はしないが、本発明は、その趣旨を逸脱しない範囲内において、種々の変更が加えられて実施されるものである。
【符号の説明】
【００４７】
１                      折り畳み式宅配ボックス
２                      ドア
２ａ                    開口部
１０                    前枠体（第１枠体)
１０ａ                  第１開口
１１                    第１左枠部
１２                    第１右枠部
１３                    第１上枠部
１４                    第１下枠部
１５                    天板収納部
１６                    底板収納部
２０                    後枠体（第２枠体)
２０ａ                  第２開口
２１                    第２左枠部
２２                    第２右枠部
２３                    第２上枠部
２４                    第２下枠部
２５                    底板載置部
３０                    荷物差し入れ扉（第１開閉扉) 
４０                    荷物取り出し扉（第２開閉扉)
５０                    天板部
６０                    底板部
７０                    左連接体
７１                    第１左側壁
７２                    第２左側壁
７３                    左連結部
７４                    天板係止部
８０                    右連接体
８１                    第１右側壁
８２                    第２右側壁
８３                    右連結部
８４                    天板係止部
Ｓ                      空間
Ｘ１，Ｘ２              水平軸心
Ｙ１，Ｙ２，Ｙ４，Ｙ５  鉛直軸心
【要約】
【課題】配達先が留守であっても、ドアを開閉することなく、配達人が室外側からの手動操作で室内側に空間を形成し、確実に配達物を室内側に配達する。
【解決手段】折り畳み式宅配ボックス１は、略水平軸心Ｘ１周りの回動による天板部５０の引き下げと、略水平軸心Ｘ２周りの回動による底板部６０の引き上げと、左連接体７０の折り畳みと、右連接体８０の折り畳みと、により、室内側の第２枠体２０を室外側の第１枠体１０に近接させるコンパクト状態と、前記コンパクト状態から左連接体７０の押し伸ばしと右連接体８０の押し伸ばしと、略水平軸心Ｘ１周りの回動による天板部５０の押し上げと、略水平軸心Ｘ２周りの回動による底板部６０の押し下げとにより、室内側の第２枠体２０を室外側の第１枠体１０から離間させる展開状態と、を切替可能に構成したものである。
【選択図】図１１【図１】
0006909947.tif 000002
【図２】
0006909947.tif 000003
【図３】
0006909947.tif 000004
【図４】
0006909947.tif 000005
【図５】
0006909947.tif 000006
【図６】
0006909947.tif 000007
【図７】
0006909947.tif 000008
【図８】
0006909947.tif 000009
【図９】
0006909947.tif 000010
【図１０】
0006909947.tif 000011
【図１１】
0006909947.tif 000012
【図１２】
0006909947.tif 000013
【図１３】
0006909947.tif 000014
【図１４】
0006909947.tif 000015